(57)【要約】【課題】確実に帯電防止性能を与えて危険場所における安全性を確保でき、且つ軽量で取扱性に優れる防爆形電気機器を提供する。【解決手段】外装容器をなすプラスチック製の容器本体２及び蓋体３の各外表面及び接合面に導電性材料の薄膜を形成し、内部に電気部品６を収容した状態で互いに接合面で電気的に接続させつつ組合わせて防爆構造を実現することから、容易に機器表面の電気抵抗を下げることができ、一様な電位となる機器表面全体で十分な帯電防止性能が得られ、帯電による危険性を排除して危険場所での防爆性能を確保でき、軽量で取扱性に優れるプラスチック容器の特長を危険場所でも十分に発揮させられる【選択図】　図１
2004040893.tif 000002
【特許請求の範囲】
【請求項１】
少なくとも外面側を導電性材料の薄膜で覆われたプラスチック製の略箱体で形成され、所定の電気部品を内部に収容する容器本体と、
少なくとも外面側を導電性材料の薄膜で覆われたプラスチック材からなり、前記容器本体を閉塞する蓋体とを備え、
前記容器本体と蓋体が、互いの接合面にもそれぞれ前記導電性材料の薄膜を形成されてなり、接合面部分で互いに電気的に接続しつつ一体に組合わされて所定の防爆構造をなすことを
特徴とする防爆形電気機器。
【請求項２】
前記請求項１に記載の防爆形電気機器において、
一端側が前記容器本体内へ防爆状態を保持しつつ引込まれて少なくとも前記電気部品に接続されるケーブルと、
前記ケーブルの他端と接続される電気部品を所定の防爆構造の容器に収納して形成される固定型装置とを備え、
前記容器本体及び蓋体が、外面側を前記ケーブルの固定型装置側で接地されている導体の一端側と電気的に接続されることを
特徴とする防爆形電気機器。
【発明の詳細な説明】
【０００１】
【発明の属する技術分野】
本発明は防爆形電気機器に関し、特に危険場所において安全性を確保しつつ軽量で操作性に優れる防爆形電気機器に関する。
ここで、危険場所とは、可燃性ガスまたは可燃性液体の蒸気（以下、爆発性ガスと総称する）が存在する、または存在するおそれのある場所をいう。
【０００２】
また、防爆構造とは、機器内部に前記爆発性ガスに対し点火能力を有する電気火花又は高温部が存在していても、これらに基づく機器周囲の爆発性ガスの引火を防止できる構造をいい、耐圧防爆構造、油入防爆構造、内圧防爆構造、本質安全防爆構造等がある。
【０００３】
【従来の技術】
電気機器を危険場所で用いる場合、電気機器が爆発原因となる危険性が少なからず存在するため、電気機器を防爆化する必要があった。従来、電気機器においては、電気機器を構成する各電気部品を特殊な容器に収容して所定の防爆構造とした防爆形電気機器が開発され、利用されていた。
【０００４】
従来の防爆形電気機器に用いられる防爆容器は、関連規格や法律によって規制があり、通常はこうした規制に準じて製造され、検定を取得したもののみ使用されている。この防爆容器については、静電気の帯電により火花が発生すると危険場所では爆発の危険性があるため、帯電しやすいプラスチックを容器として使用する場合、帯電防止策として表面抵抗を１ＧΩ以下にすることが要求されている。従来はプラスチック素材にカーボン等の導電性材料を混練して、プラスチック容器の表面電気抵抗を抑えるのが一般的であった。
【０００５】
【発明が解決しようとする課題】
従来の防爆形電気機器は以上のように構成されており、防爆容器をプラスチック化すると軽量化が図れるものの、プラスチック素材に導電性材料を混練する手法が有効なのは、金型を使用して大量に容器の成形を行う場合のみであり、少量の成形や切削加工での成形、ＦＲＰとして成形するものについては、プラスチック素材に導電性材料を混ぜて容器成形を行うことは難しく、十分な帯電防止性能を与えることが困難であるという課題を有していた。
【０００６】
本発明は前記課題を解消するためになされたもので、確実に帯電防止性能を与えて危険場所における安全性を確保でき、且つ軽量で取扱性に優れる防爆形電気機器を提供することを目的とする。
【０００７】
【課題を解決するための手段】
本発明に係る防爆形電気機器は、少なくとも外面側を導電性材料の薄膜で覆われたプラスチック製の略箱体で形成され、所定の電気部品を内部に収容する容器本体と、少なくとも外面側を導電性材料の薄膜で覆われたプラスチック材からなり、前記容器本体を閉塞する蓋体とを備え、前記容器本体と蓋体が、互いの接合面にもそれぞれ前記導電性材料の薄膜を形成されてなり、接合面部分で互いに電気的に接続しつつ一体に組合わされて所定の防爆構造をなすものである。
【０００８】
このように本発明においては、外装容器をなすプラスチック製の容器本体及び蓋体の各外表面及び接合面に導電性材料の薄膜を形成し、内部に電気部品を収容した状態で互いに接合面で電気的に接続させつつ組合わせて防爆構造を実現することにより、容易に機器表面の電気抵抗を下げることができ、一様な電位となる機器表面全体で十分な帯電防止性能が得られ、帯電による危険性を排除して危険場所での防爆性能を確保でき、軽量で取扱性に優れるプラスチック容器の特長を危険場所でも十分に発揮させられる。
【０００９】
また、本発明に係る防爆形電気機器は必要に応じて、一端側が前記容器本体内へ防爆状態を保持しつつ引込まれて少なくとも前記電気部品に接続されるケーブルと、前記ケーブルの他端と接続される電気部品を所定の防爆構造の容器に収納して形成される固定型装置とを備え、前記容器本体及び蓋体が、外面側を前記ケーブルの固定型装置側で接地されている導体の一端側と電気的に接続されるものである。
【００１０】
このように本発明においては、容器本体内部の電気部品に一端を接続されるケーブルが配設されると共に、このケーブルの他端側に固定型装置が配設され、ケーブルの所定の導体を介して、容器本体と蓋体の外面側薄膜が固定型装置で接地されることにより、周囲の状況に関わりなく機器表面の電位を安全な状態に維持することができ、帯電も起りにくく危険場所での安全性をより一層高められる。
【００１１】
【発明の実施の形態】
以下、本発明の一実施の形態を図１及び図２に基づいて説明する。本実施の形態では危険場所で用いられる本質安全防爆構造の遠隔操作端末装置の例について説明する。図１は本実施の形態に係る防爆形電気機器の概略構成断面図、図２は本実施の形態に係る防爆形電気機器の要部分解斜視図である。
【００１２】
前記各図において本実施の形態に係る防爆形電気機器１は、外面側を金属薄膜で覆われたプラスチック製の略箱体で形成される容器本体２と、この容器本体２を閉塞する外面側が金属薄膜で覆われたプラスチック製の蓋体３と、一端側が容器本体２内へ防爆状態を保持しつつ引込まれるケーブル４と、このケーブル４の他端側に接続される固定型装置５とを備える構成である。
【００１３】
前記容器本体２と蓋体３は、互いの接合面にもそれぞれ金属の薄膜を形成されてなり、接合面部分で互いに電気的に接続しつつ一体に組合わされて本質安全防爆構造の可搬型装置をなす構成である。この容器本体２及び蓋体３の各薄膜は、プラスチック材に対する蒸着、スパッタリング、ＣＶＤ、又は、めっき等の方法で形成され、ケーブル４の固定型装置５側で接地されている導体の一端側と容器本体２内で電気的に接続されている。
【００１４】
前記容器本体２は、電子回路等の電気部品６を内部に収容すると共に、スイッチ、ランプ等の操作・指示用の電気器具７を一部露出状態で組込まれる構成である。これら電気部品６や電気器具７はそれぞれ互いに配線されると共に、容器本体２内へ引込まれたケーブル４の一端とも接続される。
前記固定型装置５は、ケーブル４の他端と接続される電気部品８を所定の防爆構造の金属製容器９に収納して形成される構成である。
【００１５】
次に、前記構成に基づく防爆形電気機器の使用状態について説明する。作業者により容器本体２上の各電気器具７が操作される中、電気回路は本質安全防爆構造となっていることから、危険場所での使用に際し、機器内で爆発性ガスの爆発は起らず、また、容器本体２及び蓋体３外表面が金属薄膜で覆われていることで、機器表面での静電気の帯電もなく、機器外での爆発性ガスの爆発も誘発しない。
【００１６】
このように、本実施の形態に係る防爆形電気機器においては、外装容器をなすプラスチック製の容器本体２及び蓋体３の各外表面及び接合面に導電性材料の薄膜を形成し、内部に電気部品６を収容した状態で互いに接合面で電気的に接続させつつ組合わせて防爆構造を実現することから、容易に機器表面の電気抵抗を下げることができ、十分な帯電防止性能が得られ、帯電による危険性を排除して危険場所での防爆性能を確保でき、軽量で取扱性に優れるプラスチック容器の特長を危険場所でも十分に発揮させられる。また、容器本体２内部の電気部品６に一端を接続されるケーブル４が配設されると共に、このケーブル４の他端側に固定型装置５が配設され、ケーブル４の所定の導体を介して、容器本体２と蓋体３の外面側薄膜が固定型装置５で接地されることから、周囲の状況に関わりなく機器表面の電位を一様に安全な状態に維持でき、危険場所での安全性をより一層高められる。
【００１７】
なお、前記実施の形態に係る防爆形電気機器においては、容器本体２と蓋体３の一体化した装置全体で本質安全防爆構造となる構成としているが、この他、容器本体２と蓋体３の組合せ状態で十分な強度を有する耐圧防爆構造とし、容器本体２と蓋体３の各接合面を隙間があっても火炎逸走の防止が図れる十分な幅にする構成とすることもでき、特に金属容器の場合に重くなりがちな耐圧防爆構造においてプラスチック化を図れることとなり、大幅な軽量化が実現する。
【００１８】
また、前記実施の形態に係る防爆形電気機器においては、容器本体２と蓋体３の各表面で金属薄膜が外部にそのまま露出する構成としているが、これに限らず、薄膜の上にさらに塗装を行う構成とすることもでき、帯電防止効果をそのまま発揮させた状態で外観を変更して美観を向上させられる。
【００１９】
また、前記実施の形態に係る防爆形電気機器において、帯電防止を図るためにプラスチック材表面に金属薄膜を形成する構成としているが、これに限らず、金属以外の導電性材料で薄膜を形成する構成とすることもでき、導電性塗料のように簡単に剥離することがない強固な導電膜を形成できる。
【００２０】
また、前記実施の形態に係る防爆形電気機器においては、容器本体２及び蓋体３を一体化した可搬型装置と固定側装置５とを組合わせたシステムとする構成としているが、これに限らず、容器本体２及び蓋体３を一体化した装置のみで完結した電気機器とする構成にすることもできる。
【００２１】
【発明の効果】
以上のように本発明によれば、外装容器をなすプラスチック製の容器本体及び蓋体の各外表面及び接合面に導電性材料の薄膜を形成し、内部に電気部品を収容した状態で互いに接合面で電気的に接続させつつ組合わせて防爆構造を実現することにより、容易に機器表面の電気抵抗を下げることができ、一様な電位となる機器表面全体で十分な帯電防止性能が得られ、帯電による危険性を排除して危険場所での防爆性能を確保でき、軽量で取扱性に優れるプラスチック容器の特長を危険場所でも十分に発揮させられるという効果を奏する。
【００２２】
また、本発明によれば、容器本体内部の電気部品に一端を接続されるケーブルが配設されると共に、このケーブルの他端側に固定型装置が配設され、ケーブルの所定の導体を介して、容器本体と蓋体の外面側薄膜が固定型装置で接地されることにより、周囲の状況に関わりなく機器表面の電位を安全な状態に維持することができ、帯電も起りにくく危険場所での安全性をより一層高められるという効果を有する。
【図面の簡単な説明】
【図１】本発明の一実施の形態に係る防爆形電気機器の概略構成断面図である。
【図２】本発明の一実施の形態に係る防爆形電気機器の要部分解斜視図である。
【符号の説明】
１　　　防爆形電気機器
２　　　容器本体
３　　　蓋体
４　　　ケーブル
５　　　固定型装置
６　　　電気部品
７　　　電気器具
８　　　電気部品
９　　　容器
【図１】
2004040893.tif 000003
【図２】
2004040893.tif 000004